(57)【特許請求の範囲】
【請求項１】
ショックアブソーバのための減衰バルブ（１）であって、少なくとも一つの貫流ポート（１３；１５）を有する減衰バルブ本体（３）を備え、
当該貫流ポートの出口側が少なくとも一つのバルブプレート（１７；１９）によって少なくとも部分的に遮蔽されており、
少なくとも一つのバルブプレート（１７；１９）は、貫流ポート（１３；１５）を通った流れがぶつかると弁座面（２１）から持ち上がり、この持ち上がりの動きをストッパとしてのサポートディスク（２３）が制止し、
サポートディスク（２３）は、バルブプレート（１７；１９）に臨んでエラストマーパッド（２５）が装着されている減衰バルブにおいて、
エラストマーパッドは、複数のシングルサポート部材（２５）から構成されること、及びサポートディスク（２３）は、軸線方向に貫通する収容開口部（３５）を有し、シングルサポート部材（２５）は、両側で突出部を有するようにしてサポートディスク（２３）に貫設されていることを特徴とする減衰バルブ。
【請求項２】
請求項１に記載の減衰バルブにおいて、シングルサポート部材（２５）が球体として形成されていることを特徴とする減衰バルブ。
【請求項３】
請求項１に記載の減衰バルブにおいて、シングルサポート部材（２５）は、異なるピッチ円（２７；２９）上に配設されていることを特徴とする減衰バルブ。
【請求項４】
請求項１に記載の減衰バルブにおいて、シングルサポート部材（２５）は、バルブプレート（１７）まで軸線方向に異なる距離を有していることを特徴とする減衰バルブ。
【請求項５】
請求項１に記載の減衰バルブにおいて、シングルサポート部材（２５）は、当接平面（３３）を形成することを特徴とする減衰バルブ。
【請求項６】
請求項５に記載の減衰バルブにおいて、当接平面（３３）は、バルブプレート（１７）に対して傾斜面として形成されていることを特徴とする減衰バルブ。
【請求項７】
請求項１に記載の減衰バルブにおいて、シングルサポート部材（２５）は、異なる弾性率を有していることを特徴とする減衰バルブ。
【発明の詳細な説明】
【技術分野】
【０００１】
本発明は、特許請求項１の前提部に記載の減衰バルブに関する。
【背景技術】
【０００２】
ショックアブソーバ用の減衰バルブは、少なくとも一つの貫流ポートを有する減衰バルブ本体を備え、貫流ポートの出口側が少なくとも一つのバルブプレートによって少なくとも部分的に遮蔽されている。貫流ポートを通ってバルブ面に流れがぶつかると、バルブプレートが弁座面から持ち上がる。バルブプレートを機械的な過負荷から保護するために、通常は少なくとも一つのサポートディスクがストッパとして用いられ、これが持ち上がる動きを制限する。サポートディスクは、最も簡易な構成では、通常は金属製とされたシンプルなリングディスクとして形成されている。これに対して、バルブプレートは、たいがいは変形可能かバネに抗して軸線方向に移動可能に設置されている。実施形態がどのようなものであるにしろ、制振動作中に突然のスパイク的な負荷があると、バルブプレートがサポートディスクに衝突する働きが起きる。この衝突は音で分かる。
【０００３】
一解決方法は、複数のバルブプレートを積み重ねて用いるというのでもよい。層構造にすることで、ディスクパッケージ内のサポート機能が発揮される。欠点は、どちらかというと硬めのバルブプレートの場合に、減衰力特性曲線（Ｄａｅｍｐｆｋｒａｆｔｋｅｎｎｌｉｎｉｅ）の上昇が起きるという点にあるといえる。
【０００４】
冒頭に記載した特許文献１よりショックアブソーバ用の減衰バルブが公知であり、この減衰バルブは、エラストマーパッドがエラストマーリングの形態を有し、このエラストマーリングが、バルブプレートのサポートリングへの衝突の動きを抑えるように作用する。エラストマーリングは、ストッパとして働いているときはシール部材のように作用するので、減衰媒体が減衰バルブから半径方向にしか流出できないという結果になる。
【先行技術文献】
【特許文献】
【０００５】
【特許文献１】独国特許発明第１８１７３９２号明細書
【発明の概要】
【発明が解決しようとする課題】
【０００６】
本発明の課題は、流出特性を改善する点に鑑みて冒頭に記載した態様の減衰バルブを作成することにある。
【課題を解決するための手段】
【０００７】
この課題は、エラストマーパッドが複数のシングルサポート部材から作られることで解決される。
【０００８】
少なくとも二つのシングルサポート部材の間に、減衰媒体が減衰バルブからの流路として使える少なくとも二つの流路横断面（Ｓｔｒｏｅｍｕｎｇｓｑｕｅｒｓｃｈｎｉｔｔ）が存在する。
【０００９】
好ましくは、シングルサポート部材は球体として形成されている。この種のシングルサポート部材は、バルブプレートに対する特別な向き合わせが要らず、極めて簡単に大量生産で製造することができるという利点がある。
【００１０】
シングルサポート部材は、異なるピッチ円上に配設することができ、これによりバルブプレートのために半径方向における複数のサポート地点が設けられる。
【００１１】
選択的に、シングルサポート部材は、バルブプレートまでの軸線方向の距離が異なっていてもよく、これにより領域ごとにバルブプレートが持ち上がる動きを制御することができる。
【００１２】
シングルサポート部材が当接平面を形成するようにしてもよい。このような当接平面は、面でバルブプレートを支える働きをする。
【００１３】
当接平面は、例えばバルブプレートの開動を狙い通りに実現するために、バルブプレートに対して傾斜した平面として形成することができる。
【００１４】
さらに、代替的あるいは組み合わせで、シングルサポート部材は、異なる弾性率を有していてもよい。この解決手段も、バルブプレートが持ち上がる動きを狙い通りに操作をするのに役立ち得る。
【００１５】
持ち上がる動きを左右する実に簡単な手段は、サポートディスクにおける収容部が、シングルサポート部材のために異なる収容深さを有していることにある。この場合には、規格が統一されたシングルサポート部材を用いることができる。このサポートディスクは、複数の収容部を有することができるが、これらの収容部は、全てに必ず一つのシングルサポート部材が装着されていなければならないというものではない。減衰バルブの設計に要求されるものに応じてケースバイケースで装着が行なわれる。
【００１６】
有利な下位請求項により、サポートディスクは、軸線方向に貫通する収容開口部を有することができ、シングルサポート部材は、両側で突出部を有するようにしてサポートディスクに貫設されている。この種の構成の場合、一つのサポートディスクを用いながらも、組み込み姿勢を交互に変えれば、二つの異なるサポート特性曲線（Ａｂｓｔｕｅｔｚｋｅｎｎｌｉｎｉｅｎ）を得ることができる。
【００１７】
以下の図面の説明に基づいて、本発明をより詳細に説明する。
【図面の簡単な説明】
【００１８】
【図１】減衰バルブを断面で表す図である。
【図２】図１の減衰バルブのサポートディスクの平面図である。
【図３】サポートディスクの異なる実施形態を示す図である。
【図４】サポートディスクの異なる実施形態を示す図である。
【図５】サポートディスクの異なる実施形態を示す図である。
【発明を実施するための形態】
【００１９】
図１は、構成態様が任意のショックアブソーバのための減衰バルブ１を示す。減衰バルブ１は、ピストンロッド５に固定されている減衰バルブ本体３を有している。本発明は、この種の実施形態に限定されているのではなく、例えばボトムバルブ（Ｂｏｄｅｎｖｅｎｔｉｌ）や調整可能な減衰バルブの範疇でも使用することができる。
【００２０】
減衰バルブ本体３は、ショックアブソーバのシリンダ７をピストンロッド側およびピストンロッド反対側の作動室９；１１に分割し、これらの両方の作動室に減衰媒体が満たされている。減衰バルブ本体３には、それぞれ一つの貫流方向のためのバイパス路１３；１５が、異なるピッチ円（Ｔｅｉｌｋｒｅｉｓ）上に形成されている。バイパス路の形態は、単に一例に過ぎないと見るべきである。バイパス路１３；１５の出口側は、少なくとも一つのバルブプレート１７；１９によって少なくとも部分的に遮蔽されている。
【００２１】
ピストンロッド反対側の作動室１１から出てバルブプレート１７にぶつかる流れによって、バルブプレート１７がその弁座面２１から持ち上げられる。この持ち上げの動きが、エラストマーパッドと組み合わせたサポートディスク２３により制御ないし減衰された状態で制止される。このエラストマーパッドは、複数のシングルサポート部材２５により形成される。
【００２２】
好ましくは、シングルサポート部材２５は、球体として形成されている。また、有利にはドラム型の形状とされている。この二つの形状によって、姿勢に関係なく容易に組み付けることができる。
【００２３】
図２が示すように、シングルサポート部材２５は、サポートディスク２３において半径がＲ１とＲ２の別々のピッチ円２７；２９上に配置されているとともに当接平面を形成している。もちろん、他の直径のピッチ円も用いて構わない。バルブプレート１７の上面と、隣接する作動室９との間に流路を形成する軸線方向開口部３１がサポートディスク２３に形成されていてもよい（図１参照）。
【００２４】
バルブプレート１７が弁座面２１から持ち上げられているときには、減衰媒体は、バルブプレート１７上を半径方向に流出することができるだけでなく、シングルサポートセグメント２５の間も流れることができて、その際に軸線方向開口部３１を流出路として使うことができる。
【００２５】
図３及び４は、補助線によって示されているように、サポートディスク２３のシングルサポート部材２５が、バルブプレート１７まで軸線方向に異なる距離を有することができることを例示している。図３には、例えば、バルブプレート１７の外周側の持ち上げの距離が中心部分におけるものよりも長いことが示されている。
【００２６】
図４では、傾斜面として形成された当接平面３３をシングルサポート部材２５が形成していることで、例えば、設定したところにバルブプレート１７の持ち上がり地点（Ａｂｈｕｂｐｕｎｋｔ）が得られるようにしている。
【００２７】
さらに、シングルサポート部材２５が異なる直径や作用高さ（Ｗｉｒｋｈｏｅｈｅ）を有するようにしてもよい。シングルサポート部材２５を規格化する場合には、サポートディスク２３における凹型の収容部３５が、シングルサポート部材２５のために個別の収容深さを有していて、その収容深さによって軸線方向の突出量とそれに伴うバルブプレート１７までの距離が定まるようにすればよい。
【００２８】
代替的に或いは組み合わせにより、シングルサポート部材２５は、異なる弾性率を有していてもよい。これらの弾性率は、シングルサポート部材２５の形状が規格化されている場合に、例えば出発材料のショア硬さが異なるものを用いることにより得ることができる。
【００２９】
図５は、軸線方向に貫通する収容開口部３５を有するとともにシングルサポート部材２５がサポートディスク２３を両側で、しかし異なる突出量で貫設されているサポートディスク２３の形態を示す。この場合、この種のサポートディスクは、二つの組み込み姿勢で使用できる。バルブプレート１７に臨んでいずれの遮蔽面（Ｄｅｃｋｓｅｉｔｅ）を向けているかによって、シングルサポート部材２５の特定の減衰特性曲線（Ｄａｅｍｐｆｋｅｎｎｌｉｎｉｅ）が得られる。
【符号の説明】
【００３０】
１      減衰バルブ
３      減衰バルブ本体
５      ピストンロッド
７      シリンダ
９      ピストンロッド側の作動室
１１    ピストンロッド反対側（シリンダロッドから遠い側）の作動室
１３    バイパス路
１５    バイパス路
１７    バルブプレート
１９    バルブプレート
２１    弁座面
２３    サポートディスク
２５    シングルサポート部材
２７    ピッチ円
２９    ピッチ円
３１    軸線方向開口部
３３    当接平面
３５    収容部
【図１】
0006653332.tif 000002
【図２】
0006653332.tif 000003
【図３】
0006653332.tif 000004
【図４】
0006653332.tif 000005
【図５】
0006653332.tif 000006